(57)【要約】【課題】温度上昇に起因する遮光手段の変形量を少なくすることができる照明装置及び照明装置を備える顕微鏡を提供する。【解決手段】光路上に選択的に配置可能な遮光板１２を第１部分１２ａと第２部分１２ｂとで構成する。第１部分１２ａを遮光板１２を光路上に挿脱するためのモータ１３に接続し、第２部分１２ｂを第１部分１２ａよりも熱伝導率の高い材料で形成し、光路上に配置する。【選択図】図１
2007322453.tif 000002
【特許請求の範囲】
【請求項１】
光路上に選択的に配置可能な遮光手段と、
前記遮光手段を光路上に挿脱するための駆動手段とを備え、
前記遮光手段は、前記駆動手段に接続される第１部分と、この第１部分よりも熱伝導率が高く、前記光路を遮断する第２部分とを有することを特徴とする照明装置。
【請求項２】
前記第１部分と前記第２部分とは熱伝導率の異なる材料で形成され、前記第１部分の熱伝導率をλｍ、前記第２部分の熱伝導率をλｓとしたとき、
λｍ＜＜λｓ
の関係にあることを特徴とする請求項１記載の照明装置。
【請求項３】
前記第１部分と前記第２部分とは熱伝導率の同じ材料で形成され、
前記光源からの光の進行方向の前記第２部分の厚みを前記第１部分の厚みに比べて厚くしたことを特徴とする請求項１記載の照明装置。
【請求項４】
前記第１部分に開口又は切欠が形成されていることを特徴とする請求項１〜３のいずれか１項記載の照明装置。
【請求項５】
前記第１部分に折り曲げ部が形成されていることを特徴とする請求項１〜４のいずれか１項記載の照明装置。
【請求項６】
前記駆動手段は、前記遮光手段を光路上に挿脱させる駆動力を前記遮光手段に伝達する駆動伝達部を備えることを特徴とする請求項１〜５のいずれか１項記載の照明装置。
【請求項７】
請求項１〜６のいずれか１項記載の照明装置を備えていることを特徴とする顕微鏡。
【発明の詳細な説明】
【技術分野】
【０００１】
この発明は照明装置及び照明装置を備える顕微鏡に関する。
【背景技術】
【０００２】
従来の顕微鏡装置として特開２００２−２２８９３５号公報に記載されたものが知られている。この顕微鏡装置は光源と紫外光観察筐体部との間にシャッタが配置されている。
【特許文献１】特開２００２−２２８９３５号公報
【発明の開示】
【発明が解決しようとする課題】
【０００３】
上記顕微鏡装置では、遮光の際にシャッタが光路内に挿入されるため、シャッタは光源からの光を受け、シャッタ自身の温度が大幅に上昇する。特にシャッタが光源の集光部近くに配置されているため、シャッタの温度は局所的に急激に上昇することが予想される。そのため、シャッタに反り等の変形が発生し、シャッタとしての機能を果たせなくなってしまうおそれがある。
【０００４】
この発明はこのような事情に鑑みてなされたもので、その課題は遮光手段の温度上昇に起因する問題を解消することができる照明装置及び照明装置を備える顕微鏡を提供することである。
【課題を解決するための手段】
【０００５】
前述の課題を解決するため請求項１記載の発明は、光路上に選択的に配置可能な遮光手段と、前記遮光手段を光路上に挿脱するための駆動手段とを備え、前記遮光手段は、前記駆動手段に接続される第１部分と、この第１部分よりも熱伝導率が高く、前記光路を遮断する第２部分とを有することを特徴とする。
【発明の効果】
【０００６】
この発明によれば、遮光手段の温度上昇に起因する問題を解消することができる。
【発明を実施するための最良の形態】
【０００７】
以下この発明の実施の形態を図面に基づいて説明する。
【０００８】
図１はこの発明の第１実施形態に係る照明装置を備えた正立顕微鏡を側方から見た概念図である。
【０００９】
この正立顕微鏡は、ベース部１と支柱部２と片持ちアーム３と焦準用上下動機構４と鏡筒５とステージ８とを備えている。
【００１０】
ベース部１は反射ミラー１ａ、照明用投光管１６等を備えている。
【００１１】
ベース部１には光ファイバＯＦを介してランプハウス（照明装置）１０が接続されている。
【００１２】
片持ちアーム３の下部には対物レンズ６が取り付けられている。
【００１３】
接眼部５ａを有する鏡筒５は片持ちアーム３の上部に取り付けられている。
【００１４】
ランプハウス１０から出射された光は光ファイバＯＦ、照明用投光管１６を経て反射ミラー１ａに入射する。光は反射ミラー１ａによってコンデンサレンズ７へ反射され、コンデンサレンズ７を介してステージ８上の試料Ｓに照射される。試料Ｓを透過した光は対物レンズ６から観察光束結像系（図示せず）を通って接眼部５ａに導かれる。
【００１５】
図２はこの発明の第１実施形態に係る照明装置の内部構造を斜め上方から見た概念図である。
【００１６】
このランプハウス１０は光源１１と遮光板（遮光手段）１２とモータ（駆動手段）１３とライトガイド１４（光ファイバＯＦ）と筐体１７とを備えている。
【００１７】
光源１１はランプ（図示せず）と放射面形状の凹面鏡１１ａとで構成される。
【００１８】
ライトガイド１４は光源１１から出射された光が集光する位置に対向配置されている。
【００１９】
遮光板１２は光源１１とライトガイド１４との間の光路に選択的に配置可能である。遮光板１２は第１部分１２ａと第２部分１２ｂとを有する。第１部分１２ａと第２部分１２ｂとは例えばリベットによって接続される。第１部分１２ａと第２部分１２ｂとはそれぞれ熱伝導率の異なる材料で形成されている。第１部分１２ａの熱伝導率をλｍ、第２部分１２ｂの熱伝導率をλｓとしたとき、λｍ＜＜λｓの関係が成立する。第１部分１２ａの材料は例えばステンレス鋼板である。
【００２０】
第１部分１２ａは樹脂製の管状部材１５を介してモータ１３に接続されている。管状部材１５はモータ１３の軸に固定されている。第１部分１２ａには四角形の穴（開口）１２ａ−１が形成されている。穴１２ａ−１は第２部分１２ｂとの接続部分の近傍に位置する。この構成によって第２部分１２ｂからモータ１３へ向かう伝熱通路が狭くなり、熱抵抗が大きくなり、第１部分１２ａから第２部分１２ｂへ熱が伝わり難くなる。
【００２１】
この実施形態では、第１部分１２ａに四角形の穴１２ａ−１を形成したが、これに代えて第１部分１２ａの左右両端又は一端に切欠を形成してもよい。
【００２２】
また、第１部分１２ａは矩形状であり、その長辺部分をほぼ直角に折り曲げて折り曲げ部１２ａ−２が形成されている。この構成によって第１部分１２ａの強度が高まる。
【００２３】
第２部分１２ｂは矩形状であり、光源１１から出射される光を遮断することができる。第２部分１２ｂの材料は例えばアルミニウム板である。
【００２４】
光源１１、遮光板１２、モータ１３およびライトガイド１４の受光部は筐体１７内に収容されている。
【００２５】
このランプハウス１０ではモータ１３を駆動して光源１１とライトガイド１４との間の光路に遮光板１２（第２部分１２ｂ）を挿脱させ、ライトガイド１４への光の供給と遮断とを切り換えることができる。
【００２６】
光源１１とライトガイド１４との間の光路に遮光板１２を挿入し、遮光した際、光源１１からの光は第２部分１２ｂに照射される。そのため、第２部分１２ｂの温度が大幅に上昇する。このとき、第２部分１２ｂの熱伝導率が高いため、第２部分１２ｂが光源１１からの光の集光する位置の近傍に配置され、局所的に急激に温度が上昇するような場合でも、熱は第２部分１２ｂの表面から周りの空間へ直接放射される。
【００２７】
また、熱は第１部分１２ａにも伝わる。第１部分１２ａは第２部分１２ｂに比べて熱伝導率が低くしかも第１部分１２ａに穴１２ａ−１を形成したために伝熱通路の断面積が小さくなり、熱抵抗が大きくなっている。その結果、樹脂製の管状部材１５と相俟ってモータ１３へ伝播する熱量が低減される。
【００２８】
この実施形態によれば、遮光板１２を第１部分１２ａと第２部分１２ｂとで構成し、光源１１からの光が照射される第２部分１２ｂの熱伝導率を第１部分１２ａの熱伝導率より大きくしたので、第２部分１２ｂの急激な温度上昇が抑制され、温度上昇に起因する遮光板１２の変形量を少なくすることができる。また、第２部分１２ｂからモータ１３へ向かう伝熱通路を狭くして、熱抵抗を大きくしたので、モータ１３へ伝播する熱量を低減することができる。
【００２９】
なお、上記実施形態では第１部分１２ａの長辺部分をほぼ直角に折り曲げて、第１部分１２ａの強度を高めたが、これに代えて第１部分１２ａに絞りを形成したり、第１部分１２ａを波形状としたりしてもよい。
【００３０】
図３はこの発明の第２実施形態に係る照明装置の内部構造を斜め上方から見た概念図であり、第一実施形態と共通する部分には同一符合を付してその説明を省略する。なお、図３（ａ）は光路上に遮光板２２が配置された状態を示し、図３（ｂ）は光路上から遮光板２２が退避している状態を示す。
【００３１】
このランプハウス３０は光源１１と遮光板（遮光手段）２２とモータ（駆動手段）１３とライトガイド１４と筐体１７とを備えている。
光源１１、遮光板２２、モータ１３、ライトガイド１４、軸７及び制限部材２４は筐体１７内に収容されている。
【００３２】
遮光板２２は、光源１１とライトガイド１４との間の光路に選択的に配置可能である。遮光板２２は第１部分２２ａと第２部分２２ｂとを有する。第１部分２２ａと第２部分２２ｂとは例えばリベットによって接続される。第１部分２２ａと第２部分２２ｂとは熱伝導率の同じ材料で形成されている。光源１１から出射される光を遮断する第２部分２２ｂの光源からの光の進行方向の厚みは光源１１からの光の照射によって変形し難いように第１部分２２ａの厚みに比べて十分に大きい。この構成によって第２部分２２ｂからモータ１３へ向かう伝熱通路（第１部分２２ａ）が狭くなり、熱抵抗が大きくなる。また、第２部分２２ｂの表面積が大きいため、熱は第２部分２２ｂの表面から周りの空間へ放出され易くなる。この実施形態では、光源からの光の進行方向の厚みを大きくしたが、これに代えて進行方向に対して垂直な方向の厚みを大きくしてもよい。
【００３３】
モータ１３の回転軸には樹脂製の管状部材１５を介してＩ字形部２３の一端が接続されている。Ｉ字形部２３の他端はピン（爪）２５を介してＬ字形の第１部分２２ａに接続されている。Ｉ字形部２３とピン２５とで駆動力伝達部が構成される。この構成によって、第２部分２２ｂからモータ１３へ向かう伝熱通路が長くなるとともに、狭くなり、熱抵抗が大きくなるため、熱がモータ１３に伝わり難くなる。
【００３４】
第１部分２２ａと制限部材２４との間にスプリング２６が張り渡されている。モータ１３が駆動されていないとき、遮光板２２はスプリング２６のバネ力によって図３（ａ）に示す位置に保持されている。モータ１３が駆動されたとき、Ｉ字形部２３がモータ１３に向かって反時計方向へ回転し、その回転力がピン２５を介して第１部分２２ａに伝わり、第１部分２２ａはスプリング２６のバネ力に抗して軸７に向かって時計方向へ回転する（図３（ｂ）参照）。
【００３５】
その結果、図３（ａ）の遮光状態から図３（ｂ）の非遮光状態に変化する。
【００３６】
このランプハウス３０ではモータ１３を駆動して光源１１とライトガイド１４との間の光路に遮光板２２（第２部分２２ｂ）を挿脱させて、ライトガイド１４への光の供給と遮断とが切り換えられる。
【００３７】
この実施形態では遮光板２２を第１部分２２ａと第２部分２２ｂとで構成し、光源１１からの光が照射される第２部分２２ｂの厚みを第１部分２２ａの厚みより大きくしたので、第２部分２２ｂの急激な温度上昇を抑制でき、第１実施形態と同様の効果を奏する。また、第２部分２２ｂからモータ１３へ向かう伝熱通路を第１実施形態より長くするとともに、狭くして、熱抵抗をより大きくしたので、モータ１３へ伝播する熱量をより低減することができる。
【００３８】
また、上記各実施形態では、遮光板１２，２２を回転させることで、光路への挿脱を行ったが、遮光板１２，２２をスライドさせることで光路への挿脱を行ってもよい。
【００３９】
更に、上記各実施形態では、ライトガイド１４を用いた例を示したが、これに代えてレンズ系を用いてもよい。
【図面の簡単な説明】
【００４０】
【図１】図１はこの発明の第１実施形態に係る照明装置を備えた正立顕微鏡を側方から見た概念図である。
【図２】図２はこの発明の第１実施形態に係る照明装置の内部構造を斜め上方から見た概念図である。
【図３】図３はこの発明の第２実施形態に係る照明装置の内部構造を斜め上方から見た概念図である。
【符号の説明】
【００４１】
１０，３０：ランプハウス（照明装置）、１１：光源、１２，２２：遮光板（遮光手段）、１２ａ，２２ａ：第１部分、１２ｂ，２２ｂ：第２部分、１２ａ−１：穴（切欠）、１２ａ−２：折り曲げ部、１３：モータ（駆動手段）、２３：Ｉ字形部、２５：ピン（爪）。
【図１】
2007322453.tif 000003
【図２】
2007322453.tif 000004
【図３】
2007322453.tif 000005